(57)【要約】左右の耳当て部を連結するフレームを備えたヘッドフォン型に構成するとともに、前記フレームに沿って配設した複数の発光ダイオードから、波長６００〜７００ナノメータであって輝度が１５００〜５０００ミリカンデラの光を１０００〜１３００Ｈｚの周期で点滅させて、頭皮に照射するように構成した。前記耳当て部には、小型スピーカを内蔵した。
2004026400.tif 000002
【特許請求の範囲】
【請求項１】
左右の耳当て部を連結するフレームを備えたヘッドフォン型に構成するとともに、前記フレームに沿って、複数の発光ダイオードを、照射方向を頭皮側に向けて配設し、前記複数の発光ダイオードを点灯制御する制御手段を設けたことを特徴とするヘッドフォン型育毛補助装置。
【請求項２】
前記発光ダイオードは、波長６００〜７００ナノメータであって輝度が１５００〜５０００ミリカンデラの光を照射することを特徴とする請求の範囲第１項に記載のヘッドフォン型育毛補助装置。
【請求項３】
前記発光ダイオードは、１０００〜１３００Ｈｚの周期で点滅するように制御されることを特徴とする請求の範囲第１項〜第２項の何れかに記載のヘッドフォン型育毛補助装置。
【請求項４】
前記耳当て部には、小型スピーカが内蔵されていることを特徴とする請求の範囲第１項〜第３項の何れかに記載のヘッドフォン型育毛補助装置。
【請求項５】
前記制御手段は、前記発光ダイオードの輝度を切り換え制御するとともに、
外部から入力された音声信号を前記耳当て部の小型スピーカに出力するか否かを制御するように構成されていることを特徴とする請求の範囲第１項〜第４項の何れかに記載のヘッドフォン型育毛補助装置。
【発明の詳細な説明】
【技術分野】  本発明は、人体の頭皮に適度な刺激を与えて頭皮の生体組織を活発化させて育毛を補助することを目的とする装置に関するものである。
【背景技術】  頭髪の育毛のためには、頭皮の生体組織において、１／１０００ｍｍともいわれる毛細血管を流れる養分を、毛母に充分に供給する必要があるが、薄毛・脱毛症（若ハゲ）の人は、一般に脂肪過剰で、コレステロール，中性脂肪などで血管が塞がれ、血流の悪い状態となっている。このため、マッサージを施したり、ブラシで叩いたり、血行促進剤などの塗布を行ったり、内部から大豆サポニンなどの血流を良くする食品をとることなどが考えられてきた。
しかし、血行を促進するために、頭皮のマッサージやブラシで叩く方法は、何れも機械的なものであり、痛みをともなうものであるとともに、一部の偏った部位しか効果が得られないという問題があった。また、出血などの逆効果になる場合もある。
そこで、機械的な手段を用いることなく、血行を促進する装置として、低出力レーザ治療器を用いたものがある。
低出力レーザ治療器による次のような効果が報告されている。
（１）コラーゲン新生の促進
（２）酵素活性の冗進
（３）血管の再生促進
（４）血流の改善
（５）細胞分裂の活性化
ところが、上述したような低出力レーザ治療器の使用は、使用上の種々の制限や価格の問題があるため、各家庭で継続的に使用することは困難であった。
そこで、本発明は、低出力レーザ治療器に用いられる低出力レーザ発光装置に代えて、安価で寿命の長い発光ダイオードを使用して頭皮の生体組織を活性化し、それによって育毛を補助する装置を提供することを目的としてなされたものである。
【発明の開示】
本発明にかかるヘッドフォン型育毛補助装置では、左右の耳当て部を連結するフレームを備えたヘッドフォン型に構成するとともに、前記フレームに沿って、複数の発光ダイオードを、照射方向を頭皮側に向けて配設し、前記複数の発光ダイオードを点灯制御する制御手段を設けるという手段を講じた。
また、前記発光ダイオードは、波長６００〜７００ナノメータであって輝度が１５００〜５０００ミリカンデラの光を照射するように構成した。
また、前記発光ダイオードは、１０００〜１３００Ｈｚの周期で点滅するように制御されるように構成した。
また、前記耳当て部には、小型スピーカが内蔵されている構成とした。
また、前記制御手段は、前記発光ダイオードの輝度を切り換え制御するとともに、外部から入力された音声信号を前記耳当て部の小型スピーカに出力するか否かを制御するように構成した。
【図面の簡単な説明】図１は本発明にかかるヘッドフォン型育毛補助装置の実施の形態の構成を示した構成図、図２は前記ヘッドフォン型育毛補助装置の要部の側面図、図３は図２の要部を拡大して分離させた側面図、図４は前記ヘッドフォン型育毛補助装置の制御部の構成図である。
【発明を実施するための最良の形態】  以下に、本発明にかかるヘッドフォン型育毛補助装置を、その実施の形態を示した図面に基づいて詳細に説明する。
本発明のヘッドフォン型育毛補助装置の全体構成を示した図１において、
１はヘッドフォン型の装着体であり、２は前記装着体１と出力コード２１によって接続された制御部であり、３は前記制御部２へ電源を供給する電源アダプターである。
前記装着体１は、左右の耳当て部１１、１２と、これらの耳当て部を連結する弾性を備えたフレーム１３と、前記フレーム１３に沿って複数の発光ダイオードを頭皮側へ向けて保持するホルダー４とを備えている。
前記耳当て部にはそれぞれ小型スピーカ６が配設され、その周囲の耳に当たる部分には柔らかなイヤーパッドが配設されている。
前記ホルダー４の両端は、前記フレーム１３の内側に固定されており、前記フレーム１３の調節によって頭部の大きさに応じて適切な位置に保持するように構成されている。
また、前記ホルダー４の下面（頭皮側）には多数（例えば４８本）の発光ダイオードＬが、照射方向を頭皮側に向けて列設されている。そして、前記ホルダー４の下面には例えば３個所に距離保持突起４１、４１、４１が形成されている。これらの距離保持突起４１は、図１に示したように、正面視では先端が丸められた突起であり、図２に示したように、側面視では円弧状に形成されたものである。この距離保持突起４１を設けることによって、発光ダイオードＬと頭皮Ｈとは、前記距離保持突起４１の高さに相当する所定距離だけ離間されるので、適切なエネルギーが照射されるのである。
図２、およびその要部を拡大した図３において、
前記フレーム１３と耳当て部１１、１２との連結部Ｃは、回転軸Ｃ１によって前記フレーム１３を前後に回動させて、頭皮の所望の部位に前記発光ダイオードの光を照射するように調節できるように構成されている。
即ち、前記耳当て部１１、１２の外側には複数の小孔１５、１５、１５、・・・が同一半径の円周上に設けられている。そして、前記フレーム１３の基部には、前記小孔と同一半径の円周上に、前記小孔に嵌まり込むように弾性付勢された小丘状の突起１６が弾性舌片１７の先端に形成されている。なお、前記小孔１５と突起１６とは逆に設けてもよい。
以上の構成によって、前記突起１６が、前記小孔の何れかに嵌まり込むことによって、前記フレーム１３の位置は保持されるのである。さらにフレーム１３の位置を変更したい場合には、前記フレーム１３を前後何れかの方向へ回動させて、前記突起１６を嵌まり込んでいた小孔から抜け出させて、隣接する別の小孔に嵌まりこませるのである。このとき、前記弾性舌片１７が弾性変形することによって、前記突起１６は嵌まり込んでいた小孔から抜け出し、弾性変形していた前記弾性舌片１７が弾性復元することによって、前記突起１６は再び別の小孔に嵌まり込むのである。
このようにして、発光ダイオードが配列されたホルダー４を、前頭部から後頭部まで所望の部位に調節して、その部位の頭皮に発光ダイオードの光を照射することができるのである。
次に、制御部２を詳細に説明する。
制御部２の要部は、樹脂製のケーシングに収納されており、ケーシングの表面パネル２２には、操作スイッチ類と表示ランプ類とコネクタ類と電源スイッチが配設されている。
操作スイッチ類としては、照射光の輝度を切り換える機能とタイマーのスタートを指示する機能とを兼用する第１スイッチ２３と、前記耳当て部１１、１２の小型スピーカへの音声出力をオン／オフ切り換える第２スイッチ２４とを備えている。
表示ランプ類としては、照射光の輝度を３段階に表示するための３つの発光ダイオード２５、２６、２７と、前記耳当て部１１、１２への音声出力をオン／オフ状態を表示する発光ダイオード２８と、電源のオン／オフ状態を表示する発光ダイオード２９とを備えている。
なお、前記装着部１の出力コード２１と前記制御部２とは、設けられた例えば７ピンのＤＩＮコネクタ５２によって接続されている。
前記制御部２の要部を構成するマイコン基板の構成を示した図４において、
マイコン基板８には、全発光ダイオードの同時発光及び１１６８Ｈｚのパルスで点滅させるＬＥＤドライブ回路８１と、マイコンチップ８２と、オーディオ制御回路８３とを備え、前記マイコンチップ８２は、前記操作スイッチ類の信号が接続される入力ポートと、前記表示ランプ類が接続される出力ポートとを備え、前記ＬＥＤドライブ回路８１とオーディオ制御回路８３とを制御するように構成されている。
なお、前記ＬＥＤドライブ回路８１とオーディオ制御回路８３を前記マイコンチップ８２に内蔵してもよい。
上記構成の制御部２は、前記第１スイッチ２３を押す度に、前記ＬＥＤドライブ回路８１を介して前記ホルダー４の発光ダイオードＬから照射される光の輝度を４０００ミリカンデラ、３０００ミリカンデラ、２０００ミリカンデラ、再び４０００ミリカンデラ、（以下同様。）と順次切り換えると共に、３つの発光ダイオード２５、２６、２７を、４０００ミリカンデラのときは３つとも点灯、３０００ミリカンデラのときは２つ点灯、２０００ミリカンデラのときは１つだけ点灯と制御する。
また、希望の輝度に設定された状態で前記第１スイッチ２３から手を離すと、自動的にタイマーがスタートする。
タイマーがスタートすると、設定された輝度の照射光が頭皮に向かって照射開始される。照射中は、約２秒間隔で動作表示ランプが点滅し、内蔵電子ブザーを短く鳴らす。
そして、予め設定された設定時間が経過すると内蔵電子ブザーを少し長く鳴らして終了を知らせる。
また、前記制御２にはステレオ用の音声中継コード５を差し込むコネクタ５１を備えており、この音声中継コード５の他端をテレビ等のイヤフォン端子に差し込むことによって、テレビ等の音声を前記装着体１の耳当て部１１、１２に内蔵された小型スピーカから再生することができる。
従って、本装置を頭部に装着して使用中に、テレビ、ラジオ、ＣＤプレーヤ、ＭＤプレーヤ等の放送や音楽等をステレオで楽しむことができる。また、携帯電話等の着信音を前記装着体１の耳当て部１１、１２に内蔵された小型スピーカから出力するように構成することも可能である。
なお、本発明のヘッドフォン型育毛補助装置は、発光ダイオードの個数に限定されるものではなく、必要に応じた数量を配設すればよい。また、照射する光の波長も種々の波長としてそれぞれの効果を得ることもできる。さらに、発光ダイオードを保持できる構造であれば、耳当て部は片側だけでも構わない。また、小型スピーカは省略することもできる。
【産業上の利用可能性】  このようにして、本発明のヘッドフォン型育毛補助装置を頭部に装着して作動させると、多数の発光ダイオードから、波長６００〜７００ナノメータ、輝度が１５００〜５０００ミリカンデラの光が照射されるので、頭皮の生体組織の血行が促進され、毛母に充分な養分を供給する。従って、頭髪の育毛効果が得られるのである。
【図１】
2004026400.tif 000003
【図２】
2004026400.tif 000004
【図３】
2004026400.tif 000005
【図４】
2004026400.tif 000006
【国際調査報告】
2004026400.tif 000007
2004026400.tif 000008
2004026400.tif 000009
2004026400.tif 000010